(57)【要約】【課題】上記形態によれば、紙幣カセットに集積された紙幣の量に応じて、紙幣を整然と集積することができる技術を提供する。【解決手段】紙幣を収納する紙幣カセットと、前記紙幣カセットが脱着可能に収容されることができる収容部とを備える、紙幣収納装置であって、前記紙幣カセットは、前記紙幣カセットの上部に設けられた前記紙幣を出し入れする紙幣入出部と、前記紙幣カセットの下部に設けられた前記紙幣カセットに収容されている紙幣を支持する支持部と、を備え、前記上部と前記下部の間は蛇腹構造で接続されており、前記収容部は、前記紙幣カセットの下部を昇降させる昇降部を備える。【選択図】図３
2015201121.tif 000002
【特許請求の範囲】
【請求項１】
紙幣を収納する紙幣カセットと、前記紙幣カセットが脱着可能に収容されることができる収容部とを備える、紙幣収納装置であって、
前記紙幣カセットは、
前記紙幣カセットの上部に設けられた前記紙幣を出し入れする紙幣入出部と、
前記紙幣カセットの下部に設けられた前記紙幣カセットに収容されている紙幣を支持する支持部と、を備え、
前記上部と前記下部の間は蛇腹構造で接続されており、
前記収容部は、前記紙幣カセットの下部を昇降させる昇降部を備える、紙幣収納装置。
【請求項２】
請求項１に記載の紙幣収納装置であって、
前記紙幣カセットは、さらに、前記下部から前記上部へ延び、前記紙幣入出部から前記支持部までの長さを固定する固定部を備える、紙幣収納装置。
【請求項３】
請求項１または請求項２に記載の紙幣収納装置であって、
前記紙幣カセットは、さらに、前記紙幣入出部または前記支持部の少なくとも一方に、前記紙幣カセット内の紙幣を取り出すことのできる扉と、扉を施錠できる錠と、を備え、
前記紙幣入出部の開口部は、長辺が１７０ｍｍ以下であり、短辺が５ｍｍ以下である、紙幣収納装置。
【請求項４】
請求項１から請求項３のいずれか１項に記載の紙幣収納装置であって、
前記紙幣カセットは、底面に複数の穴を備え、
前記収容部は、前記複数の穴を通って前記紙幣カセットの上面に向かって伸びる複数のガイド棒を備える、紙幣収納装置。
【発明の詳細な説明】
【技術分野】
【０００１】
本発明は、紙幣収納装置に関するものである。
【背景技術】
【０００２】
従来、紙幣収納装置は、小売店等の店舗に設置され、店舗の売上げとして入金された紙幣を収納する。紙幣は、紙幣収納装置の中に設けられた紙幣カセットに収納される。
【０００３】
紙幣カセットとしては、箱型のものが用いられている（例えば、特許文献１）。紙幣カセットとしては紙幣収納装置から取り出され、各店舗から回収されて本部へ集められる。しかし、箱型の紙幣カセットは大型であるため、運搬効率が悪い。運搬効率を改善する技術として、特許文献２の技術が開示されている。
【０００４】
図７は、特許文献２に記載の紙幣収納装置５０を示した図である。特許文献２に記載の紙幣収納装置５０は、（ｉ）収納装置側への装着時に上面が紙幣面より大きく開口され、その下方に収容空間が形成される紙幣収容体５５と、（ｉｉ）この紙幣収容体の装着位置の上方の収納装置側に一端が支持され、他端側が伸縮作用により前記紙幣収容体５５の内側面にそって移動する伸縮ガイド手段６０と、（ｉｉｉ）この伸縮ガイド手段により昇降する昇降ユニット７０と、（ｉｖ）前記伸縮ガイド手段６０を伸縮させて前記昇降ユニット７０を紙幣収容体５５に進入退出させる駆動手段８０とを備える。この紙幣収納装置は、紙幣収容体内に受け板やそのガイド機構、ロック機構等を一切設けることなく、受け取った紙幣を紙幣収容体内に整然と収納することができると記載されている。
【先行技術文献】
【特許文献】
【０００５】
【特許文献１】実開平１−１４３７５７号公報
【特許文献２】特開平１０−２０８１０８号公報
【発明の概要】
【発明が解決しようとする課題】
【０００６】
しかし、特許文献２に記載の紙幣収納装置は、以下のような課題がある。紙幣収容体５５は上面が紙幣面より大きく開口されている。このため、紙幣収納装置から紙幣を回収する係員が容易に紙幣に触れることができ、防犯上の課題があった。
【０００７】
また、紙幣収容体５５は、収容空間の上方から下方まで距離があるため、実際には、紙幣が落下する間に向きが変わり、紙幣が整然と集積されないという課題があった。そのほか、紙幣収納装置においては、低コスト化、微細化、製造の容易化、省資源化、使い勝手の向上、耐久性の向上などが望まれていた。
【課題を解決するための手段】
【０００８】
上記課題を解決するために、本発明は、紙幣を収納する紙幣カセットと、前記紙幣カセットが脱着可能に収容されることができる収容部とを備える、紙幣収納装置であって、前記紙幣カセットは、前記紙幣カセットの上部に設けられた前記紙幣を出し入れする紙幣入出部と、前記紙幣カセットの下部に設けられた前記紙幣カセットに収容されている紙幣を支持する支持部と、を備え、前記上部と前記下部の間は蛇腹構造で接続されており、前記収容部は、前記紙幣カセットの下部を昇降させる昇降部を備える。
【発明の効果】
【０００９】
本発明によれば、紙幣カセットに集積された紙幣の量に応じて、昇降部が上下することにより、紙幣を整然と集積することができる。
上記した以外の課題、構成及び効果は、以下の実施形態の説明により明らかにされる。
【図面の簡単な説明】
【００１０】
【図１】本発明の実施形態である紙幣収納装置１の模式図である。
【図２】紙幣カセット６の概略構成を示した図である。
【図３】収容部４０に紙幣カセット６がセットされた状態を示した模式図である。
【図４】入金時の紙幣収納装置１の動作を説明するための図である。
【図５】収容部４０と紙幣カセット６の内部構造とを示す図である。
【図６】固定部２９を備える紙幣カセット６の模式図である。
【図７】特許文献２に記載の紙幣収納装置５０を示した図である。
【発明を実施するための形態】
【００１１】
Ａ：本実施形態
以下、図１から図６を用いて本発明にかかる紙幣収納装置の一実施形態を説明する。本実施形態では、小売店等の店舗内に設置し、その店舗の売上げを入金する紙幣収納装置１について説明する。しかし、本発明はこれに限定されるものではない。
【００１２】
図１は、本発明の実施形態である紙幣収納装置１の模式図である。紙幣収納装置１は小売店や飲食店などの店舗内に設置され、売上金などの紙幣、硬貨を入金、保管することを目的とした装置である。紙幣収納装置１は、紙幣を入金するための入金口２と紙幣や硬貨を収納する保管部４と、各ユニットを制御する本体制御部５を備える。
【００１３】
保管部４は、紙幣を収納する紙幣カセット６と、硬貨を収納する硬貨カセット７と、紙幣カセット６と硬貨カセット７とを脱着可能に収容できる収容部４０とを備える。通常、保管部４は施錠されているが、各カセットを交換する際、係員により施錠が解除される。
【００１４】
図２は、紙幣カセット６の概略構成を示した図である。図２（a）は、紙幣カセット６を斜め上方から見た斜視図である。図２（ｂ）は、図２（a）の紙幣カセット６の天地を逆転させた状態を示す斜視図である。
【００１５】
紙幣カセット６は、上部に、紙幣を出し入れする紙幣入出部８を備え、下部に、紙幣カセット６に収容されている紙幣を支持する支持部３０と、を備え、上部と下部の間は、蛇腹構造の蛇腹部９で接続されている。
【００１６】
蛇腹部９は、柔軟性があり伸縮可能な素材で、かつ紙幣を収納した際の重量に耐えうる強さを有した素材で形成されている。本実施形態において、蛇腹部９の材質はナイロン製の縫製布である。
【００１７】
図２（a）に示すとおり、紙幣入出部８は、開口部３１と、取手１０と、貫通穴２５Ａとを備える。本実施形態において、紙幣入出部８は、金属により形成されるが、樹脂により形成されてもよい。本実施形態において、紙幣入出部８と蛇腹部９とは、複数のリベット等で固定されており、容易に取り外しできない構造となっている。
【００１８】
開口部３１は、紙幣を入出させるための穴である。本実施形態において、開口部３１は、長辺が１７０ｍｍであり、短辺が５ｍｍである。開口部３１は上記サイズであるため、開口部３１から紙幣が抜き出される可能性を低減できる。
【００１９】
取手１０は、係員が紙幣カセット６を収容部４０へ出し入れする際に用いる部分である。貫通穴２５Ａは、センサ光を通過させるための穴であるが、詳しくは後述する。
【００２０】
支持部３０は、紙幣カセット６の下部に設けられている。本実施形態において支持部３０は、金属により形成されるが、樹脂により形成されてもよい。本実施形態において、支持部３０と蛇腹部９とは、複数のリベット等で固定され、容易に取り外しできない構造となっている。
【００２１】
図２（ｂ）に示すとおり、支持部３０は、ボールキャッチ１１と、複数の穴１４Ａと、回収扉１７と、シリンダ錠１８とを備える。
【００２２】
ボールキャッチ１１は、収容部４０に設けられたボールキャッチ受け１５と連結するために設けられている。複数の穴１４Ａは、紙幣カセット６の底面に設けられている。穴１４Ａは、収容部４０に設けられた紙幣ガイド２４を挿入するための穴であるが、詳しくは詳述する。
【００２３】
回収扉１７は、係員が紙幣カセット６内の紙幣を係員が取り出すために設けられた扉である。シリンダ錠１８は、回収扉１７を施錠するために設けられた錠である。通常、シリンダ錠１８は施錠されている。
【００２４】
図３は、収容部４０に紙幣カセット６がセットされた状態を示した模式図である。図３は、図１の左側面から見た状態を示す図である。収容部４０は、複数の紙幣ガイド棒１４と、昇降部１２と、ガイドフレーム１６とを備える。
【００２５】
昇降部１２は、昇降台１３と、昇降台を昇降させる駆動機構とを備えている。駆動機構により、昇降部１２は、紙幣カセット６の下部を昇降させることができる。昇降台１３にはボールキャッチ受け１５が備えられ、支持部３０に備えられたボールキャッチ１１と連結可能となっている。紙幣カセット６のセット時において、係員は、収容部４０の上方から下方へ紙幣カセット６を押し込み、ボールキャッチ１１とボールキャッチ受け１５にて紙幣カセット６と昇降台１３と連結させることにより、紙幣カセット６を収容部４０へ収容する。なお、紙幣カセット６をセットする際、紙幣カセット６の中に、紙幣は収容されていない。
【００２６】
紙幣ガイド棒１４は、収容部４０の下部から、紙幣カセット６の上面に向かって設置されている。紙幣カセット６が収容部４０へ取り付けられる際、複数の穴１４Ａから複数の紙幣ガイド棒１４が挿入される。紙幣ガイド２４は、紙幣カセット６に入る紙幣がより整然と集積できるように紙幣をガイドする。
【００２７】
ガイドフレーム１６は、収容部４０が紙幣カセット６を収容する際の側壁をさす。ガイドフレーム１６の幅および奥行きは、蛇腹部９よりも大きく、かつ、紙幣入出部８よりも小さい。このため、紙幣入出部８の下端部をガイドフレーム１６が支えることにより、紙幣カセット６の位置を固定する。
【００２８】
図４は、入金時の紙幣収納装置１の動作を説明するための図である。入金時の紙幣収納装置１の動作は、本体制御部５により制御される。
【００２９】
まず、入金口２０に投入された紙幣は、１枚ずつ搬送路２１に繰り出される。搬送路２１に繰り出された紙幣は、図中の矢印方向に搬送され、紙幣を判別できる紙幣判別部２２にて金種および枚数を確定された後、入金確定まで保管する場所である一時保留部２３に一旦収納される。
【００３０】
その後、入金の確定を本体制御部５が検知した場合、一時保留部２３に収納した紙幣は、１枚ずつ紙幣カセット６に収納される。
【００３１】
図５は、収容部４０と紙幣カセット６の内部構造とを示す図である。一時保留部２３から搬送された紙幣は、紙幣カセット内に１枚ずつ集積される（図５（ａ）参照）。紙幣カセット６内の紙幣の枚数が増えることにより、紙幣入出部８に設けられた上下に移動可能な紙幣ガイド２４が集積紙幣によって上昇する（図５（ｂ）参照）。
【００３２】
この結果、貫通穴２５Ａによって内部まで届いていたセンサ（図示せず）のセンサ光を、紙幣ガイド２４が反射させることにより、本体制御部５は、昇降部２６の駆動機構にて昇降台１３を下降させる（図５（ｃ）参照）。この制御により、蛇腹部９が伸長する。なお、紙幣と蛇腹部９の間には紙幣ガイド棒１４があるため、蛇腹部９と紙幣が触れることなく、紙幣カセット６内の紙幣は整然と集積される。
【００３３】
収容部４０の下部には、紙幣満杯検知センサ２７が備えられている。紙幣満杯検知センサ２７は、紫外線を発している。この紫外線が昇降台１３に遮断された場合、紙幣満杯検知センサ２７は、その旨を本体制御部５に通知する。この通知により、本体制御部５は、紙幣の紙幣収納装置１への入金を停止する。なお、一定時間経過後、紙幣を収納した紙幣カセット６は、係員により保管部４から引き出され、空の紙幣カセット６と交換される。
【００３４】
図６は、固定部２９を備える紙幣カセット６の模式図である。図６に示すように、紙幣カセット６は、固定部２９を備える。
【００３５】
固定部２９は、紙幣カセット６の下部から上部へ延び、紙幣入出部８から支持部３０の長さを固定する。固定部２９は、布製のベルトで構成されている。固定部２９の自由端側に着脱可能な面ファスナを備えることにより、ベルトは任意の長さで固定される。その結果、紙幣カセット６は縮んだ状態で保持されることが可能である。
【００３６】
本実施形態において、紙幣カセット６を取り出す際、係員は固定部２９で紙幣入出部８から支持部３０の長さを固定する。このため、紙幣カセット６内の紙幣が整然と集積された状態で、紙幣カセット６は固定される。紙幣カセット６を固定部２９で固定することにより、紙幣収納時および空状態での紙幣カセット６の輸送、保管時において、必要最小限のスペースで保管が可能となる。
【００３７】
以上説明したように、本発明の実施形態によれば、紙幣カセットの蛇腹部９が蛇腹状のため紙幣の容量に合わせて小型にすることが可能である。蛇腹部９が柔軟な材質で形成しているため軽量で、かつ破損し難い。紙幣収納装置１は１紙幣ガイド棒１４を備えているため紙幣を整然と揃えることが可能である。また、開口部３１は、長辺が１７０ｍｍであり、短辺が５ｍｍであり、回収扉１７は、通常時、シリンダ錠１８で施錠されているため、防犯上において安全である。
【００３８】
Ｂ：その他の実施形態
本発明は、上述の実施形態や実施例、変形例に限られるものではなく、その趣旨を逸脱しない範囲において種々の構成で実現することができる。例えば、発明の概要の欄に記載した各形態中の技術的特徴に対応する実施形態、実施例、変形例中の技術的特徴は、上述の課題の一部または全部を解決するために、あるいは、上述の効果の一部または全部を達成するために、適宜、差し替えや、組み合わせを行うことが可能である。また、その技術的特徴が本明細書中に必須なものとして説明されていなければ、適宜、削除することが可能である。
【００３９】
上述の実施形態において、紙幣カセットについて説明している。しかし、本発明はこれに限られず、硬貨カセットに用いてもよい。
【００４０】
上述の実施形態において、開口部は、長辺が１７０ｍｍであり、短辺が５ｍｍである。しかし、本発明はこれに限られない。開口部としては、長辺が１７０ｍｍ以下が好ましく、短辺が５ｍｍ以下が好ましい。このようにすることにより、開口部から紙幣カセット内の紙幣を取り出すことを抑制できる。
【符号の説明】
【００４１】
１…紙幣収納装置
２…入金口
３…硬貨計数部
４…保管部
５…本体制御部
６…紙幣カセット
７…硬貨カセット
８…紙幣入出部
９…蛇腹部
１０…取手
１１…ボールキャッチ
１２…昇降部
１３…昇降台
１４…紙幣ガイド棒
１４Ａ…穴
１５…ボールキャッチ受け
１６…ガイドフレーム
１７…回収扉
１８…シリンダ錠
２０…入金口
２１…搬送路
２２…紙幣判別部
２３…一時保留部
２４…紙幣ガイド
２５Ａ…貫通穴
２６…昇降部
２７…紙幣満杯検知センサ
２９…固定部
３０…支持部
３１…開口部
４０…収容部
５０…紙幣収納装置
【図１】
2015201121.tif 000003
【図２】
2015201121.tif 000004
【図３】
2015201121.tif 000005
【図４】
2015201121.tif 000006
【図５】
2015201121.tif 000007
【図６】
2015201121.tif 000008
【図７】
2015201121.tif 000009